(57)【特許請求の範囲】
【請求項１】
インクを取り込むインク取り込み穴部、前記インクに含まれる異物を除去するフィルタ部、インクを噴射する複数のノズル穴、前記複数のノズル穴にインクを供給する複数の圧力室及び前記圧力室に供給するインクを一時的に貯留する共通インク室を含み複数のプレート部材の積層によって構成されるキャビティユニットを備え、前記圧力室が加圧されることで記録媒体に前記ノズル穴よりインクを噴射して記録するインクジェット式記録装置において、
前記キャビティユニットは、前記インク取り込み穴部が、前記プレート部材を積層方向に貫通した貫通穴として形成されて、前記共通インク室の一端に接続され、前記インク取り込み穴部が形成された第１のプレート部材の一側に、そのインク取り込み穴部に対応してフィルタ部が配置されるとともに、前記インクが前記フィルタ部に対し直交する方向に流れる構成とされ、
前記第１のプレート部材に、前記インク取り込み穴部の内周壁面から内方へ向かって突出し、前記フィルタ部の、インク流入側とは反対側の面に接触して前記フィルタ部を支持するフィルタ支持部が形成されており、
前記第１のプレート部材の他側に対し積層される第２のプレート部材に、前記第１のプレート部材のインク取り込み穴部と前記共通インク室の一端とを接続する前記インク取り込み穴部としての貫通穴が形成され、
その第２のプレート部材に、その貫通穴の内周壁面から内方へ向かって突出し、前記フィルタ支持部を支持する補助支持部が形成されている
ことを特徴とするインクジェット式記録装置。
【請求項２】
前記補助支持部の形状は、前記フィルタ支持部の形状と異なる形状であることを特徴とする請求項１に記載のインクジェット式記録装置。
【請求項３】
前記第１のプレート部材は、前記インク取り込み穴部が貫通穴として形成されるとともに、前記圧力室が貫通穴として形成され、
前記第２のプレート部材に対し、前記第１のプレート部材とは反対側に、前記共通インク室が貫通穴として形成される第３のプレート部材が配置され、
前記圧力室と前記共通インク室とを連通する連通穴が前記第２のプレート部材に形成されていることを特徴とする請求項１または２記載のインクジェット式記録装置。
【請求項４】
前記圧力室は複数列形成され、その圧力室の列に対応して前記共通インク室が複数形成され、その複数の共通インク室のうちの少なくとも２つの一端が仕切壁部を介して並んで、１つの前記インク取り込み穴部と接続され、
前記フィルタ支持部と前記仕切壁部との間には、インクが流通可能な隙間が形成されていることを特徴とする請求項１〜３のいずれかに記載のインクジェット式記録装置。
【請求項５】
前記圧力室は複数列形成され、その圧力室の列に対応して前記共通インク室が複数形成され、その複数の共通インク室のうちの少なくとも２つの一端が仕切壁部を介して並んで、１つの前記インク取り込み穴部と接続され、
前記フィルタ支持部は、前記補助支持部を介して前記仕切壁部にて支持されていることを特徴とする請求項１〜３のいずれかに記載のインクジェット式記録装置。
【請求項６】
前記フィルタ支持部は、前記仕切壁部に対して交差する方向に形成されていることを特徴とする請求項４または５記載のインクジェット式記録装置。
【請求項７】
前記フィルタ支持部は、前記フィルタ部の中央を支持する第１の部分と、この第１の部分を前記インク取り込み穴部の内周壁に連接する第２の部分とを有することを特徴とする請求項１〜６のいずれかに記載のインクジェット式記録装置。
【請求項８】
前記フィルタ支持部は、前記インク取り込み穴部の内周壁から中心部に向かって突出し前記フィルタ部の周縁部を支持する少なくとも１つの突出部を有することを特徴とする請求項１〜６のいずれかに記載のインクジェット式記録装置。
【発明の詳細な説明】
【技術分野】
【０００１】
本発明は、インクジェット式記録装置に関するものである。
【背景技術】
【０００２】
従来より、インクジェット式記録装置においては、インクに含まれる異物を取り除くために、インク流路の途中に、異物を除去するフィルタ部を設けるのが一般的である（例えば特許文献１参照）。
【０００３】
また、共通インク室（マニホールド）の上側に積層されるプレート部材に、インク供給孔に相当する位置に多数のフィルタ孔を並べて穿設し、フィルタ部を構成するものも知られている（例えば、特許文献２参照）。
【特許文献１】特開２００２−１３７３８６号公報（図７）
【特許文献２】特開２００３−３１１９５１号公報（段落００６１および図６）
【発明の開示】
【発明が解決しようとする課題】
【０００４】
前述した特許文献１，２に記載したフィルタ部はインクの流れ方向と直交して配置されるとともに、フィルタ部を支持するのは外周部だけであるため、例えばインク流路内の気泡等を取り除くため、ノズル側からインクを吸引したり、インク供給源側から高い圧力でインクを供給するいわゆるパージ動作により、インクの高い圧力がフィルタに作用してフィルタ部が反り返ってしまい、その結果、フィルタ部の小孔が広がる現象や、フィルタ部が破断する現象が起こる可能性がある。
【０００５】
それらの現象が生ずると、フィルタ部で本来トラップされるべき大きな異物が前記フィルタ部を通過してインク流路内に混入してしまい、ノズルを塞ぐおそれがある。
【０００６】
本発明は、パージ時にフィルタ部に圧力が作用しても、フィルタ部の小孔が広がる現象やフィルタ部が破断する現象を防止できるインクジェット式記録装置を提供することを目的とする。
【課題を解決するための手段】
【０００７】
請求項１の発明は、インクを取り込むインク取り込み穴部、前記インクに含まれる異物を除去するフィルタ部、インクを噴射する複数のノズル穴、前記複数のノズル穴にインクを供給する複数の圧力室及び前記圧力室に供給するインクを一時的に貯留する共通インク室を含み複数のプレート部材の積層によって構成されるキャビティユニットを備え、前記圧力室が加圧されることで記録媒体に前記ノズル穴よりインクを噴射して記録するインクジェット式記録装置において、前記キャビティユニットは、前記インク取り込み穴部が、前記プレート部材を積層方向に貫通した貫通穴として形成されて、前記共通インク室の一端に接続され、前記インク取り込み穴部が形成された第１のプレート部材の一側に、そのインク取り込み穴部に対応してフィルタ部が配置されるとともに、前記インクが前記フィルタ部に対し直交する方向に流れる構成とされ、前記第１のプレート部材に、前記インク取り込み穴部の内周壁面から内方へ向かって突出し、前記フィルタ部の、インク流入側とは反対側の面に接触して前記フィルタ部を支持するフィルタ支持部が形成されており、
前記第１のプレート部材の他側に対し積層される第２のプレート部材に、前記第１のプレート部材のインク取り込み穴部と前記共通インク室の一端とを接続する前記インク取り込み穴部としての貫通穴が形成され、その第２のプレート部材に、その貫通穴の内周壁面から内方へ向かって突出し、前記フィルタ支持部を支持する補助支持部が形成されていることを特徴とする。ここで、補助支持部は、フィルタ支持部を支持できるものであればよく、フィルタ支持部と同じ形状であってもよいし、異なる形状であってもよい。
【０００８】
このようにすれば、第１のプレート部材に、インク取り込み穴部の内周壁面から内方へ向かって突出し、フィルタ部の、インク流入側とは反対側の面に接触して前記フィルタ部を支持するフィルタ支持部が形成されているので、パージ時にフィルタ部に圧力が作用しても、フィルタ支持部による支持でフィルタ部の変形が抑制され、フィルタ部の小孔が広がる現象やフィルタ部が破断する現象が防止される。特に、積層構造のキャビティユニットを構成する第１のプレート部材を有効に利用して、フィルタ部を支持するフィルタ支持部を形成しているので、特別に部品を設ける必要もなく、フィルタ支持部を簡単に構成することができる。
【００１０】
また、第１のプレート部材に対し積層される第２のプレート部材を有効に利用して、フィルタ支持部の支持剛性を高める補助支持部を簡単に形成することが可能となる。
この場合、請求項２に記載のように、前記補助支持部の形状は、前記フィルタ支持部の形状と異なる形状とすることができる。
【００１１】
請求項３の発明は、請求項１または２のインクジェット式記録装置において、前記第１のプレート部材が、前記インク取り込み穴部が貫通穴として形成されるとともに、前記圧力室が貫通穴として形成され、前記第２のプレート部材に対し、前記第１のプレート部材とは反対側に、前記共通インク室が貫通穴として形成される第３のプレート部材が配置され、前記圧力室と前記共通インク室とを連通する連通穴が前記第２のプレート部材に形成されていることを特徴とする。
【００１２】
このようにすれば、インク取り込み穴部、圧力室、共通インク室などの、記録ヘッドとして必要な構成要素を有するプレート部材を積層することによってキャビティユニットが構成されるため、構造が簡単である。
【００１３】
請求項４の発明は、請求項１〜３のいずれかのインクジェット式記録装置において、前記圧力室は複数列形成され、その圧力室の列に対応して前記共通インク室が複数形成され、その複数の共通インク室のうちの少なくとも２つの一端が仕切壁部を介して並んで、１つの前記インク取り込み穴部と接続され、前記フィルタ支持部と前記仕切壁部との間には、インクが流通可能な隙間が形成されていることを特徴とする。
【００１４】
このようにすれば、フィルタ支持部と前記仕切壁部との間には、インクが流通可能な隙間が形成されているので、フィルタ部を通過したインクは、前記隙間を通じて共通インク室に流れ、インクの流通が損なわれることはない。
【００１５】
請求項５の発明は、請求項１〜３のいずれかのインクジェット式記録装置において、前記圧力室は複数列形成され、その圧力室の列に対応して前記共通インク室が複数形成され、その複数の共通インク室のうちの少なくとも２つの一端が仕切壁部を介して並んで、１つの前記インク取り込み穴部と接続され、前記フィルタ支持部は、前記補助支持部を介して前記仕切壁部にて支持されていることを特徴とする。
【００１６】
このようにすれば、フィルタ支持部は、前記補助支持部を介して前記仕切壁部にて支持されるので、支持剛性が向上する。
【００１７】
請求項６の発明は、請求項４または５のインクジェット式記録装置において、前記フィルタ支持部が、前記仕切壁部に対して交差する方向に形成されていることを特徴とする。
【００１８】
このようにすれば、フィルタ支持部と共通インク室の仕切壁部とは交差しているので、フィルタ部を通過したインクは、フィルタ支持部の側面に沿って流れ、共通インク室の仕切壁部の側面に沿って前記共通インク室に流れ込む。
【００１９】
請求項７の発明は、請求項１〜６のいずれかのインクジェット式記録装置において、装前記フィルタ支持部が、前記フィルタ部の中央を支持する第１の部分と、この第１の部分を前記インク取り込み穴部の内周壁に連接する第２の部分とを有することを特徴とする。      
【００２０】
このようにすれば、圧力の受けやすいフィルタ部の中央部分を支持する第１の部分を第２の部分を介してインク取り込み穴部の内周壁に連接するので、第１の部分の支持が安定する。
【００２１】
請求項８の発明は、請求項１〜６のいずれかのインクジェット式記録装置において、前記フィルタ支持部が、前記インク取り込み穴部の内周壁から中心部に向かって突出し前記フィルタ部の周縁部を支持する少なくとも１つの突出部を有することを特徴とする。
【００２２】
このようにすれば、インク取り込み穴部の内周壁から中心部に向かって突出する突出部を設けるという簡単な構成で、フィルタ部を支持することができる。
【発明の効果】
【００２３】
以上のように構成したから、本発明は、インク取り込み穴部の内周壁面から内方へ向かって突出し、フィルタ部の、インク流入側とは反対側の面に接触して前記フィルタ部を支持するフィルタ支持部を第１のプレート部材に形成しているので、パージ時にフィルタ部に圧力が作用しても、フィルタ支持部による支持でフィルタ部の変形を抑制して、フィルタ部の小孔が広がる現象やフィルタ部が破断する現象を防止することができる。
【発明を実施するための最良の形態】
【００２４】
以下、本発明の実施の形態を図面に沿って説明する。なお、本実施の形態に係るインクジェット式記録装置は、記録媒体に沿って往復移動するキャリッジ上に記録ヘッドが搭載され、記録ヘッドからインク液滴を前記記録媒体に向けて噴射させる、周知のインクジェット式記録装置である。
【００２５】
図１は本発明に係るインクジェット式記録装置に用いられる圧電式の記録ヘッドの断面図、図２は同記録ヘッドの分解斜視図である。
【００２６】
図１に示すように、記録ヘッド１は、複数枚の金属プレートを備えるキャビティユニット２の上側にプレート型の圧電アクチュエータ３が接合され、このプレート型の圧電アクチュエータ３の上側に外部機器との接続のためのフレキシブルフラットケーブル４が重ね接合されている。
【００２７】
キャビティユニット２は、図１に示すように、８枚のプレート１１〜１８それぞれを積層状態で接着剤にて重ね接合した構造となっている。つまり、上側から順に積層される、キャビティプレート１１（第１のプレート部材）、ベースプレート１２（第２のプレート部材）、アパチャプレート１３、２枚のマニホールドプレート１４，１５（第３のプレート部材）、ダンパープレート１６、スペーサプレート１７およびノズルプレート１８の合計８枚の薄いプレートで構成される。そして、キャビティユニット２の下面側に開口されたノズル穴（つまりノズルプレート１８に形成されたノズル穴１８Ａ〜１８Ｄ）から、下向きにインクを噴射する構成とされている。そして、圧力室１１Ａ１，１１Ａ２，１１Ｂ，１１Ｃ，１１Ｄａは、それに対応するノズル穴１８Ａ１，１８Ａ２，１８Ｂ，１８Ｃ，１８Ｄよりインクを噴射する際に、上側から圧電アクチュエータ３によって加圧される。なお、各プレート１１〜１８は５０〜１５０μｍ程度の厚さを有し、４２％ニッケル合金鋼板製の金属プレートである。
【００２８】
キャビティプレート１１には、複数の、平面視細長形状の圧力室１１Ａ〜１１Ｄが、それらの長手方向がキャビティプレート１１の短辺方向（図１の左右方向）に沿うようにして貫通穴として形成されている。圧力室１１Ａ〜１１Ｄは、平面視で、キャビティプレート１１の長辺方向（図１の紙面に直角方向、図２のＸ方向）に沿って、千鳥配列状で５列に配列されている。ここで、圧力室１１Ａ〜１１Ｄは、ブラックについて２列、シアン、イエロー、マゼンタについてそれぞれ１列ずつ設けられている。
【００２９】
各圧力室１１Ａ〜１１Ｄの長手方向の一端部は、連通路部２１を通じてノズルプレート１８の各ノズル穴１８Ａ〜１８Ｄに連通する。この連通路部２１は、キャビティプレート１１の下側に積層される６枚のプレート１２〜１７それぞれに設けられる貫通穴の集合体として形成される。
【００３０】
一方、各圧力室１１Ａ〜１１Ｄの長手方向の他端部は、絞り通路部２２を通じて後述する共通インク室２３Ａ１，２３Ａ２，２３Ｂ，２３Ｃ，２３Ｄと連通している。この絞り通路部２２は、キャビティプレート１１の下側に積層される２枚のプレート１２，１３それぞれに設けられる貫通穴の集合体として形成され、共通インク室２３Ａ〜２３Ｄから各圧力室１１Ａ〜１１Ｄへインクを供給する際に流路抵抗となるように断面積を小さくして形成されている。
【００３１】
２枚のマニホールドプレート１４，１５には、その長辺方向に沿って長い５つの共通インク室２３Ａ〜２３Ｄがノズル穴１８Ａ〜１８Ｄの各列に沿って延びるように板厚を貫通して形成されている。すなわち、図１に示すように、２枚のマニホールドプレート１４，１５を積層し、かつその上面をアパチャプレート１３で覆い、下面をフィルタプレート１６にて覆うことにより、合計５つの共通インク室２３Ａ〜２３Ｄが独立して形成される。各共通インク室２３Ａ〜２３Ｄは、各プレート１１〜１８の積層方向から平面視したときに、対応する圧力室１１Ａ〜１１Ｄの一部と重なって圧力室１１Ａ〜１１Ｄの列方向（ノズル穴１８Ａ〜１８Ｄの列方向）に沿って長く延びている。ここで、共通インク室２３Ａ〜２３Ｄは、ブラックについて２つ、シアン、イエロー、マゼンタについてそれぞれ１つずつ設けられている。
【００３２】
また、ダンパープレート１６には、共通インク室２３Ａ〜２３Ｄに対応してダンパー室２８Ａ１，２８Ａ２，２８Ｂ，２８Ｃ，２８Ｄが共通インク室２３Ａ〜２３Ｄ側に薄肉部を残してその反対側から凹状に形成されている。圧力室でのインクの噴射動作にともない、圧力室から絞り通路部２２を介して共通インク室に伝播するインクの圧力波を、ダンパープレート１６の薄肉部が撓むことによって吸収し、他の圧力室内に影響するいわゆるクロストークを防止する。
【００３３】
ノズルプレート１８には、図２に示すように、微小径（この実施の形態では２５μｍ程度）のインク噴射用ノズル穴１８Ａ〜１８Ｄが微小間隔で多数個穿設されている。このノズル穴１８Ａ〜１８Ｄは、ノズルプレート１８における長辺方向（図１の紙面に直角な方向、図２のＸ方向）に沿って配列され、ノズル列を構成している。
【００３４】
一方、圧電アクチュエータ３は、特開平４−３４１８５３号公報等に開示された公知のものと同様に、複数枚の圧電シート３１を積層した構造で、１枚の厚さが３０μｍ程度の各圧電シートのうち下側から偶数段目の圧電シート３１ａの上面（広幅面）には、キャビティユニット２における各圧力室１１Ａ〜１１Ｄに対応した箇所ごとに細幅の個別電極３２が長辺方向に沿って列状に形成されている。下から奇数段目の圧電シート３１ｂの上面（広幅面）には、複数個の圧力室１１Ａ〜１１Ｄに対して共通のコモン電極３３が形成されている。
【００３５】
そして、このような構成のプレート型の圧電アクチュエータ３における下面（圧力室１１１Ａ〜１１Ｄと対面する広幅面）全体に、接着剤としてのインク非浸透性の合成樹脂材からなる接着材シート（図示せず）を予め貼着し、次いで、キャビティユニット２に対して、圧電アクチュエータ３が、その各個別電極３２をキャビティユニット２における各圧力室１１Ａ〜１１Ｄの各々に対応させて接着固定される。また、この圧電アクチュエータ３における上側の表面には、各電極３２に接続される配線パターンを有するフレキシブルフラットケーブル４が固定される。
【００３６】
各共通インク室２３Ａ〜２３Ｄの一端部は、図３および図４（ａ）（ｂ）に示すように、インク取り込み穴部２４Ａ〜２４Ｄを介してインク供給源（図示せず）に連通している。このインク取り込み穴部２４Ａ〜２４Ｄの上流開口端には、取り込まれるインクに含まれる異物を除去するためにフィルタ部２５Ａ〜２５Ｄが設けられ、インクがフィルタ部２５Ａ〜２５Ｅに対し直交する方向に流れる構成とされている。なお、インク取り込み穴部２４Ａ〜２４Ｄは、前記取り込んだインクを前記プレート１１〜１８の厚さ方向に流すものである。
【００３７】
具体的には、インク取り込み穴部２４Ａ〜２４Ｄは、キャビティプレート１１、ベースプレート１２およびアパチャプレート１３に、プレート１１〜１８の積層方向に貫通した貫通穴として形成され、共通インク室２３Ａ〜２３Ｄの一端に接続され、インク取り込み穴部２４Ａ〜２４Ｄが形成された最も上側のキャビティプレート１１の上側（一側）に、そのインク取り込み穴部２４Ａ〜２４Ｄに対応してフィルタ部２５Ａ〜２５Ｄが配置されている。
【００３８】
複数のフィルタ部２５Ａ〜２５Ｄは、それぞれ微細なフィルタ孔を多数有し、それらの外周部を囲む無孔の枠部によって相互に連結された１枚のシート状のフィルタ部材２５として形成されている。フィルタ部材は、電鋳法によってフィルタ部２５Ａ〜２５Ｄと枠部とを薄い金属で一体に形成され、あるいは、薄い樹脂フィルムにフィルタ部２５Ａ〜２５Ｄの微細なフィルタ孔を穿設することで形成される。フィルタ部材２５は、枠部においてキャビティプレート１１の上面に接着等で固着されている。
【００３９】
前記キャビティプレート１１には、図４（ｂ）に示すように、インク取り込み穴部２４Ａ〜２４Ｄの内周壁面から内方へ向かって突出し、フィルタ部２５Ａ〜２５Ｄの、インク流入側とは反対側の面に接触してフィルタ部２５Ａ〜２５Ｄを支持する直線状のフィルタ支持部２６Ａ〜２６Ｄが、共通インク室２３Ａ〜２３Ｄの延びる方向に形成されている。このフィルタ支持部２６Ａ〜２６Ｄは、キャビティプレート１１に形成されるインク取り込み穴部２４Ａ〜２４Ｄにおいて、直径方向に掛け渡されている。
【００４０】
またキャビティプレート１１の他側（下側）に対し積層されるベースプレート１２に、キャビティプレート１１のインク取り込み穴部２４Ａ〜２４Ｄと共通インク室２３Ａ〜２３Ｄの一端とを接続するインク取り込み穴部２４Ａ〜２４Ｄとしての貫通穴が形成されている。そして、そのベースプレート１２に、その貫通穴の内周壁面から内方へ向かって突出し、フィルタ支持部２６Ａ〜２６Ｄを支持する補助支持部２７Ａ〜２７Ｄが形成されている。
【００４１】
複数の共通インク室２３Ａ〜２３Ｄのうちブラックインクの２つの共通インク室２３Ａ１，２３Ａ２の一端は、仕切壁部１４ａ，１５ａを介して並んで、１つのインク取り込み穴部２４Ａと接続されており、補助支持部２７Ａと仕切壁部１４ａとの間には、インクが流通可能な隙間Ｓが形成されている。
【００４２】
上記記録ヘッドによれば、インク取り込み穴部２４Ａ〜２４Ｄからノズル穴１８Ａ〜１８Ｄに至るインク流通路では、まず、インクは、インク取り込み穴部２４Ａ〜２４Ｄからインク供給チャンネルとしての共通インク室２３Ａ〜２３Ｄに供給される。この際、フィルタ部２５Ａ〜２５Ｄは、パージ時に圧力を受け、インク取り込み穴部内へ凹状に湾曲しようとするが、フィルタ支持部２６Ａ〜２６Ｄおよび補助支持部２７Ａ〜２７Ｄにて支持されているので、フィルタ部１４Ａ〜１４Ｄの変形は抑制される。
【００４３】
ブラックインクについては、１つのフィルタ部２５Ａから２つの共通インク室２３Ａ１，２３Ａ２に流れるが、フィルタ支持部２６Ａで分けられたフィルタ部２５Ａの一方の側に異物が集中して堆積しても、補助支持部２７と仕切壁部１４ａとの間の隙間Ｓを通って両方の共通インク室２３Ａ１，２３Ａ２に支障なくインクを供給することができる。
【００４４】
その後、共通インク室２３Ａ〜２３Ｄから絞り通路部２２を経由して各圧力室１１Ａ〜１１Ｄに分配供給される。そして、圧電アクチュエータ３の駆動により、インクは各圧力室１１Ａ〜１１Ｄ内から連通路部２１を通って、その圧力室１１Ａ〜１１Ｄに対応するノズル穴１８Ａ〜１８Ｄに至ることになる。
【００４５】
このように、パージ時にフィルタ部２５Ａ〜２５Ｄに圧力が作用しても、フィルタ支持部２６Ａ〜２６Ｄおよび補助支持部２７Ａ〜２７Ｄによる支持でフィルタ部２５Ａ〜２５Ｄの変形が抑制されるので、フィルタ部２５Ａ〜２５Ｄの小孔（フィルタ孔）が広がる現象やフィルタ部が破断する現象を防止することができる。
【００４６】
本発明は、前述した実施の形態のほか、次のように変更することも可能である。
【００４７】
(i)前記実施の形態では、フィルタ支持部２６Ａ〜２６Ｄを支持する補助支持部２７Ａ〜２７Ｄを設けているが、本発明はそれに限定されるものではなく、フィルタ部１４Ａ〜１４Ｄを支持するのがフィルタ支持部２６Ａ〜２６Ｄのみの支持で足りる場合には、補助支持部２７Ａ〜２７Ｄの一部または全部を省略することも可能である。この補助支持部を省略する場合には、フィルタ支持部と共通インク室２３Ａ〜２３Ｄの仕切壁部との間に隙間が形成される。
【００４８】
(ii)前記実施の形態では、フィルタ部を支持する直線状のフィルタ支持部を、共通インク室（マニホールド）の延びる方向に形成する構成としているが、本発明はそれに限定されるものではなく、前記共通インク室の延びる方向に交差する方向に延びる構成とすることも可能である。例えば、図５および図６に示すように、フィルタ部２５Ａを支持するフィルタ支持部２６Ａ’を、共通インク室２３Ａ１，２３Ａ２の延びる方向と直交する方向に形成するように構成することができる。なお、他のフィルタ部２５Ｂ〜２５Ｃについてのフィルタ支持部についても同様な形状とすることができる。この場合には、ブラックインクのフィルタ部２５Ａにおいて、フィルタ支持部２６Ａ’のみならず、ベースプレート１２およびアパーチャプレート１３のインク取り込み部２４Ａの補助支持部２７Ａ，２８Ａも、共通インク室２３Ａ１，２３Ａ２間の仕切壁１４ａ，１５ａに対し平面視において交差することになり、フィルタ支持部を挟んで２分割されるフィルタ部のいずれの部分についてのインク取り込み穴部も両共通インク室２３Ａ１，２３Ａ２に連通されるので、フィルタ部の一部が目詰まりしても、共通インク室への流通は確保される。さらに、この場合、最下層の補助支持部２８Ａが仕切壁１４ａに接触していることで、フィルタ部２５Ａをフィルタ支持部２６Ａ’、補助支持部２７Ａ，２８Ａを介して仕切壁１４ａ，１５ａにて支持することができる。１つのフィルタ部２５Ａで２列の圧力室１１Ａ１，１１Ａ２に対しインクを供給するものでは、他のフィルタ部のように１列の圧力室に供給するものに比して、インク供給量が多くなるから、フィルタ面積も大きくなり、パージ時の圧力によって変形しやすくなる。フィルタ部２５Ａを上記のように支持することで、フィルタ面積を大きくしても十分な強度で支持することができる。
【００４９】
また、共通インク室（マニホールド）の延びる方向に延びる部分と、それと交差する部分とを十字状に組み合わせて構成することも可能である。
【００５０】
(iii)フィルタ支持部の形状は、前述したもののほか、図７（ａ）〜（ｃ）に示すように構成することも可能である。すなわち、図７（ａ）に示すように、フィルタ支持部１２６が、中心部分１２６Ａからインク取り込み穴部１２４の内周壁に向かって延びる３つの直線状部分１２６Ｂを有する構造としてもよいし、図７（ｂ）に示すように、フィルタ支持部１２７が、インク取り込み穴部１２４の内周壁から中心部に向かって突出しフィルタ部の周縁部を支持する３つの突出部１２７Ａを有する構造としてもよい（この場合突出部は少なくとも１つあればよい）。また、図７（ｃ）に示すように、フィルタ支持部１２８が、フィルタ部の中央を支持する環状の第１の部分１２６Ａと、この第１の部分をインク取り込み穴部１２４の内周壁に連接する直線状の第２の部分１２６Ｂとを有する構造とすることも可能である。
【００５１】
(iv)前記実施の形態では、フィルタ部材がキャビティプレート１１の上側に設けられた場合について説明しているが、本発明はそれに限定されるものではなく、キャビティユニットを構成するプレート部材のうちの１枚にフィルタ部が形成されているフィルタプレートの場合にも適用することができる。その場合には、前記フィルタプレートの下流側に積層されるプレート部材が、フィルタ支持部が形成される第１のプレート部材となる。なお、前記フィルタプレートとしては、(a)プレート部材の所定の位置に微細な多数の開孔を穿孔して部分的に形成したものでもよいし、(b)プレート部材に形成された開孔にフィルタ部材を嵌め込んで形成したものでもよいし、(c)所定の位置に開孔が形成されたプレート部材と全体にわたって微細な多数の開孔が穿孔されたプレート部材とを重ね合わせ接合することで形成されたものでもよい。
【図面の簡単な説明】
【００５２】
【図１】本発明に係る実施の形態であるインクジェット式記録装置に用いられる圧電式の記録ヘッドの断面図である。
【図２】同記録ヘッドの分解斜視図である。
【図３】同記録ヘッドにおけるキャビティユニットのインク取り込み穴部付近の平面図である。
【図４】（ａ）は図３のＡ−Ａ線における断面図、（ｂ）は図３のＢ−Ｂ線における断面図である。
【図５】他の実施の形態であるキャビティユニットのインク取り込み穴部付近の平面図である。
【図６】図５のＣ−Ｃ線における断面図である。
【図７】（ａ）〜（ｃ）はそれぞれフィルタ支持部の変形例の説明図である。
【符号の説明】
【００５３】
１    記録ヘッド
２    キャビティユニット
３    圧電アクチュエータ
１３    アパチャプレート
１４，１５    マニホールドプレート
１６Ａ〜１６Ｄ    フィルタ部
１８    ノズルプレート
１８Ａ〜１８Ｄ    ノズル穴
２３Ａ〜２３Ｄ    共通インク室（マニホールド）
２４Ａ〜２４Ｄ    インク取り込み穴部
２６Ａ〜２６Ｄ    フィルタ支持部
２７Ａ〜２７Ｄ    補助支持部
【図１】
0004735144.tif 000002
【図２】
0004735144.tif 000003
【図３】
0004735144.tif 000004
【図４】
0004735144.tif 000005
【図５】
0004735144.tif 000006
【図６】
0004735144.tif 000007
【図７】
0004735144.tif 000008